(57)【要約】【課題】  装置構成を複雑にすることなく確実で信頼性の高い紙継を高速に達成でき、しかも過大な張力変動による原紙の切断も防止することのできる紙継装置を提供する。【解決手段】  原紙ロールから旧原紙に新原紙の先端部を紙継ぎする紙継装置。紙継ユニット(30)は、出口側のキャプスタンロール(31)、紙継時にキャプスタンロール上に旧原紙を圧接して旧原紙の送り出しを停止させる圧接ロール(32)、及びこれらよりも上流位置で互いに接近離反可能に配置された一対の圧着ロール(33a, 33b)を装備し、これら圧着ロールには、圧着ロールに原紙を押さえつけたまま共回り可能な第１ストッパ(34a, 34b)と、紙継後の旧原紙を切断するカッター(35a, 35b)と、カッター作動時に旧原紙の上流側を固定する第２ストッパ(36a, 36b)と、圧着ロールの外側でロール長手方向に延在するセット用テーブル(37a, 37b)がそれぞれ付設され、これら付設装備品と共に両圧着ロールが原紙貼り合わせ部を間にして対称的なスプライス機構を構成している。【選択図】  図２
0003111026.tif 000002
【実用新案登録請求の範囲】
【請求項１】
ミルロールスタンドの一対のロール掛けのいずれか一方に支持された第１の原紙ロールからアキュームレータを介して下流側へ搬送されている旧原紙に前記ロール掛けの他方に支持された第２の原紙ロールから引き出される新原紙の先端部を前記アキュームレータの上流側で紙継ぎする紙継装置であって、アキュームレータの上流位置で原紙搬送距離を変化させるように往復移動可能に支持された紙継ユニットを備えたものにおいて、
前記紙継ユニットには、アキュームレータへの出口側に配置されたキャプスタンロールと、紙継時にキャプスタンロール上に旧原紙を介して圧接することによりキャプスタンロールの回転を止めて紙継ユニットからの旧原紙の送り出しを停止させるための圧接ロールと、これらキャプスタンロール及び圧接ロールよりも上流位置で搬送中の原紙を間にして互いに接近離反可能に配置されて紙継時に新旧両原紙の貼り合わせ部を表裏から挟着しつつ互いに逆方向に回転する一対の圧着ロールとが装備され、
これら一対の圧着ロールには、圧着ロールに接近離反して一時的に原紙を押さえつけたまま圧着ロールと共回り可能な第１ストッパと、紙継後の旧原紙を切断するためのカッターと、カッターの作動時に旧原紙の上流側を固定するための第２ストッパと、圧着ロールの外側位置でロール長手方向に延在配置された紙継端セット用テーブルとがそれぞれ付設され、
これら付設装備品と共に両圧着ロールが原紙貼り合わせ部を間にして対称的なスプライス機構を構成していることを特徴とする紙継装置。
【請求項２】
紙継ユニットからアキュームレータへ向かう原紙がキャプスタンロールと圧接ロールとにそれぞれ半周以上に亘って巻き掛けられ、原紙の搬送中にキャプスタンロールと圧接ロールを共に原紙走行速度に同期した周速で互いに逆方向に回転させる駆動装置が設けられていることを特徴とする請求項１に記載の紙継装置。
【請求項３】
前記駆動装置が紙継ユニットに搭載されていることを特徴とする請求項２に記載の紙継装置。
【考案の詳細な説明】
【技術分野】
【０００１】
本考案は紙継装置に関するものであり、例えば段ボールシートを生産するコルゲートマシンにおいて連続的な原紙供給を維持するために新旧ロール原紙の紙継を行うための紙継装置に関するものである。
【背景技術】
【０００２】
従来のこの種の紙継装置の典型的な例は例えば特許文献１又は２に開示されている。この紙継装置は、その紙継ユニットを経由してコルゲートマシンに原紙を供給している原紙ロールを交換する際に、事前に紙継ユニット出側のアキュームレータ内に蓄積した旧原紙がラインに送り出されている間に一切の紙継工程を完了する。
【特許文献１】特開２００２−０１２３４９号公報
【特許文献２】特開２００３−１８２８９５号公報
【０００３】
即ち、紙継動作に際しては、予めアキュームレータが出側のライン速度を維持しながら入側速度を増加して内部に旧原紙を蓄積しており、紙継動作の開始に伴って入側速度がゼロになるとアキュームレータ内に蓄積された旧原紙をライン速度で送り出すことにより紙継操作に必要な時間に亘る継続的な原紙の供給が維持される。この間に紙継装置では旧原紙ロールの回転停止に続いて紙継ユニット内の紙継機構により新たな原紙ロールからの新原紙の先端を両面接着テープで旧原紙に貼着すると共に貼着部の後部で旧原紙を切断して紙継を果たし、新原紙ロールの回転開始と共にラインへの原紙の送給を再開させる。
【０００４】
このように、紙継動作に必要な時間はライン速度とアキュームレータの蓄積容量に依存し、換言すれば紙継動作を高速化できればライン速度の高速化及びアキュームレータの小形化に寄与するところが大きい。
【０００５】
しかしながら、一般的に従来の紙継装置においては、紙継ユニット内で新旧原紙の貼着を果たす紙継部が互いに接近離反するように開閉する一対の揺動テーブルからなり、これら揺動テーブルの間に通した旧原紙に新原紙の先端部を貼着した後に揺動テーブルを閉じることにより原紙貼着部を両面から挟み付けて原紙貼着部の圧着と旧原紙の切断を行う構造であり、従って貼着部の圧着が不充分で紙継が失敗する虞があるだけでなく、圧着後に揺動テーブルが必ず開かれてから後に各ロール回転を起動して新原紙の送給を再開しないと原紙の破断が起きるのでそれぞれに順次的な動作シーケンスが必要であり、そのため紙継開始に際しての新原紙先端部に対する両面接着テープの準備から紙継待機位置への移動と紙継動作の実行並びに旧原紙の切断及びその後の新原紙の送給の再開までに無駄なタイミング時間を要し、紙継動作全体の高速化に限界があることが指摘されている。
【考案の開示】
【考案が解決しようとする課題】
【０００６】
本考案の主な課題は、装置構成を複雑にすることなく確実で信頼性の高い紙継を高速に達成でき、しかも高速化に伴って生じる虞のある過大な張力変動による原紙の切断も防止することのできる紙継装置を提供することにある。
【課題を解決するための手段】
【０００７】
上述の課題を解決するために、本考案はミルロールスタンドの一対のロール掛けのいずれか一方に支持された第１の原紙ロールからアキュームレータを介して下流側へ搬送されている旧原紙に前記ロール掛けの他方に支持された第２の原紙ロールから引き出される新原紙の先端部を前記アキュームレータの上流側で貼り合わせて紙継ぎする紙継装置を提供するものであり、この紙継装置は、アキュームレータの上流位置で原紙搬送距離を変化させるように往復移動可能に支持された紙継ユニットを備えている。
【０００８】
本考案による紙継装置の紙継ユニットには、アキュームレータへの出口側に配置されたキャプスタンロールと、紙継時にキャプスタンロール上に旧原紙を介して圧接することによりキャプスタンロールの回転を止めて紙継ユニットからの旧原紙の送り出しを停止させるための圧接ロールと、これらキャプスタンロール及び圧接ロールよりも上流位置で搬送中の原紙を間にして互いに接近離反可能に配置されて紙継時に新旧両原紙の貼り合わせ部を表裏から挟着しつつ互いに逆方向に回転する一対の圧着ロールとが装備され、これら一対の圧着ロールには、圧着ロールに接近離反して一時的に原紙を押さえつけたまま圧着ロールと共回り可能な第１ストッパと、紙継後の旧原紙を切断するためのカッターと、カッターの作動時に旧原紙の上流側を固定するための第２ストッパと、圧着ロールの外側位置でロール長手方向に延在配置された紙継端セット用テーブルとがそれぞれ付設され、これら付設装備品と共に両圧着ロールが原紙貼り合わせ部を間にして対称的なスプライス機構を構成している。
【０００９】
本考案による紙継装置おいては、紙継時に紙継ユニットからの旧原紙の送り出しを停止させるキャプスタンロールと圧接ロールよりも上流位置、即ち原紙ロール側の位置に搬送中の原紙を間にして互いに接近離反可能な一対の圧着ロールが配置され、紙継時にはこれら一対の圧着ロールが新旧両原紙の貼り合わせ部を表裏から挟着しつつ互いに逆方向に回転して貼着済みの原紙を送り出すので、圧着ロール間で貼り合わせ部を全幅に亘って均一な力で確実に圧着できると共に貼り合わせ部の挟着状態を維持したまま同時に圧着ロールを回転させて無駄なタイミング時間を介在させずに原紙の送給を再開でき、またカッターも両圧着ロールの接近時に同時に作動できるので、従来装置のように貼り合わせ部の挟着動作及び旧原紙切断動作と貼着後の新原紙送給の再開動作とを順次的に行う必要が無く、これらをワンアクションで果たすことが可能であるので紙継動作の所要時間を極めて短くすることができ、従って確実な紙継を高速で達成することが可能である。
【００１０】
本考案による紙継装置では、好ましくはキャプスタンロールと圧接ロールに紙継ユニットからアキュームレータへ向かう原紙がそれぞれ半周以上に亘って巻き掛けられる。このような原紙の巻き掛け経路は、例えば水平面内に互いの軸心を平行に配置して平行間隙を介して並置したキャプスタンロールと圧接ロールに対し、原紙ロール側からの原紙を下方からキャプスタンロールの上半周を巡らせてロール間隙へ下向きに通し、さらに圧接ロールの下半周を巡らせてからライン下流側へ送り出すようにすることで実現できる。
【００１１】
原紙の搬送中にキャプスタンロールと圧接ロールは互いに逆方向に回転され、この回転速度はキャプスタンロールと圧接ロールが共に原紙走行速度に同期した周速となるように設定される。これにより原紙搬送中にロール間の平行間隙を閉じるように圧接ロールをキャプスタンロールに圧接させると原紙が回転中のロール間に挟まれ、この間の両ロールの周速は原紙走行速度と同一であるので原紙には何ら張力変動は起きず、その状態で両ロールに制動をかけることにより原紙の破断を生じることなくアキュームレータへの原紙供給を停止することが可能である。キャプスタンロールと圧接ロールは、共に個別の駆動装置で駆動及び停止できるようにしてもよく、或いは共通の１基の駆動装置でチェーンやベルト等の回転伝達機構を介して連動して駆動及び停止させるようにしてもよい。
【００１２】
この駆動装置は、その電動機及び回転伝達機構を含む主要回転機構を紙継ユニットに搭載することが好ましく、これにより紙継ユニット内でキャプスタンロールと圧接ロール及びその駆動装置をスプライス圧着部に極力近接した位置に配置でき、紙継ユニットがミルロールスタンドの左右どちらの原紙ロール上に位置していてもスプライス圧着部とキャプスタンロール及び圧接ロールによる原紙圧接保持部との距離を不変の短い距離に維持して原紙送給再開時の原紙の破断を防ぐことが可能である。
【００１３】
この点に関して、従来装置ではキャプスタンロールがアキュームレータフレーム内に配置されていたので原紙圧接保持部からスプライス圧着部までの距離が長く、しかもこれが紙継ユニットの左右位置で異なってしまうので、その間にある原紙に弛みが生じ、これが原紙送給再開時に原紙の破断を起こす原因となっていたのであるが、本考案では原紙圧接保持部からスプライス圧着部までの距離が最短で且つユニットの左右位置にかかわらず常に一定であり、更にはこの間の原紙通過方向を垂直方向に向けることができるので供給停止中の原紙の弛みは殆ど生じることがなく、給紙再開時に破断が生じることもない。
【考案を実施するための最良の形態】
【００１４】
本考案の好適な実施形態について図面と共に詳述すれば以下の通りである。
【００１５】
図１はミルロールスタンド上に配置された本発明の一実施形態による紙継装置の全体構成を示す正面図であり、図２はその主要部である紙継ユニットの内部構造を示す説明図である。図３〜図６には紙継時の各段階における紙継ユニット各部の位置関係が示されている。
【００１６】
図１において、ミルロールスタンド１０はそれぞれ上下にスイング動作可能な左右一つのロール掛け１１ａ及び１１ｂを有し、これらのロール掛けには、それぞれ原紙を巻回した原紙ロール１２ａ及び１２ｂが回転駆動可能に支持される。
【００１７】
ミルロールスタンド１０の上方には原紙送給ライン方向に沿って延在するアキュームレータ２０が配置され、そのフレーム２２には、アキュームレータ２０の上流位置で原紙搬送距離を変化させるようにライン方向に沿って左右に移動可能な紙継ユニット３０が支持されている。
【００１８】
アキュームレータ２０は、図１においてフレーム２２の左端部に位置する固定側回転ロール群２４と、それよりも右側でフレーム２４に沿ってライン方向へ往復移動可能な可動側ロール群２６とを有し、両ロール群間には原紙Ｐが巡らされている。アキュームレータ２０は、紙継ぎの開始に先立って出側ライン速度を維持したままロール群間の距離を大きくすると原紙蓄積量を増加させ、紙継ぎの介しに伴って入側からの原紙供給が停止されるとロール群間の距離を近づけながら出側への原紙送給を継続させる。
【００１９】
ここで、図１に示す状態とは異なるが、以下の説明においては左右のロール掛けのうち左側のロール掛け１１ａに支持されている原紙ロール１２ａからの原紙Ｐが紙継ユニット３０内を経由してアキュームレータ２０へ送られ、アキュームレータ２０の出側から図示しないコルゲーターマシンへのラインへ送給されているものとし、これを旧原紙ロールと呼ぶことにする。また右側のロール掛け１１ｂには旧原紙ロール１２ａに代わってラインへ送給されるべき新原紙ロール１２ｂが準備されているものとする。
【００２０】
図２に示すように、紙継ユニット３０は、アキュームレータ２０への出口側に配置されたキャプスタンロール３１と、紙継時にキャプスタンロール３１上に旧原紙Ｐを介して圧接することによりキャプスタンロール３１の回転を止めて紙継ユニットからの旧原紙Ｐの送り出しを停止させる圧接ロール３２とを備え、これらキャプスタンロール及び圧接ロールよりも上流位置には一対の圧着ロール３３ａ及び３３ｂが搬送中の原紙Ｐを間にして互いに接近離反可能に配置されている。圧着ロール３３ａ及び３３ｂは、後述のように紙継時に新旧両原紙の貼り合わせ部を表裏から挟着しつつ互いに逆方向に回転する。
【００２１】
それぞれの圧着ロール３３ａ又は３３ｂには、対応する圧着ロールに接近離反して一時的に原紙を押さえつけたまま共回り可能な第１ストッパ３４ａ又は３４ｂと、紙継後の旧原紙を貼り合わせ部の上流位置で切断するためのカッター３５ａ又は３５ｂと、カッターの作動時に対応するカッターの上流側で旧原紙を固定するための第２ストッパ３６ａ又は３６ｂと、対応する圧着ロールの外側位置でロール長手方向に延在配置された紙継端セット用テーブル３７ａ又は３７ｂとがそれぞれ付設され、これら付設装備品と共に両圧着ロール３３ａ及び３３ｂが原紙貼り合わせ部を間にして対称的なスプライス機構を構成している。
【００２２】
尚、図２において符号３８はキャプスタンロール３１に原紙Ｐを介して圧接可能な補助ストッパであり、これはキャプスタンロール３１と圧接ロール３２による原紙供給の停止を更に確実にするために必要に応じて設けられるものである。また、符号３９ａ及び３９ｂは紙継ユニット３０の左右下部に配置された入口ガイドロールであり、これらは、紙継ユニット３０がフレーム２２上の左右いずれの位置にあっても原紙ロールからの原紙が安定してユニット内に導入されるように配置されている。
【００２３】
キャプスタンロール３１と圧接ロール３２には、紙継ユニット３０からアキュームレータ３０へ向かう原紙Ｐがそれぞれ半周以上に亘って巻き掛けられている。即ち、水平面内に互いの軸心を平行に配置して平行間隙を介して並置されたキャプスタンロール３１と圧接ロール３２に対し、原紙ロール側からユニット３０内の圧着ロール３３ａ又は３３ｂを巡ってくる原紙Ｐを下方からキャプスタンロール３１の上半周を巡らせてロール間隙へ下向きに通し、さらに圧接ロール３２の下半周を巡らせてから図２の左方へ向けてアキュームレータ２０に送り込むようにしてある。
【００２４】
原紙の搬送中はキャプスタンロール３１と圧接ロール３２は互いに逆方向に回転され、この回転速度はキャプスタンロール３１と圧接ロール３２が共に原紙走行速度に同期した周速となるように設定されている。これらのキャプスタンロール３１と圧接ロール３２の駆動及び停止を担う駆動装置は、図２には現れていないが、その電動機及び回転伝達機構を含めて主要回転機構が紙継ユニット３０に搭載されている。
【００２５】
以上の構成からなる本実施形態の紙継装置では、紙継ユニット３０における各部は図２に示す定常の給紙状態の他に紙継動作に関連して図３〜図５に示す三つの位置状態をとるだけである。
【００２６】
即ち、図３〜図６と共に紙継ユニット３０の動作を説明すると、新原紙のセットは旧原紙のライン搬送中に行われる。先ず、図３において、旧原紙は旧原紙ロール１２ａから左側のガイドロール３９ａを介してユニット３０内に導入されており、左側の圧着ロール３３ａを約１／４周巡って上方へキャプスタンロール３１に至り、キャプスタンロール３１の上半周を巡って圧接ロール３２とのロール間隙を下向きに通過し、更に圧接ロール３２の下半周と右上約１／４周を巡ってから左方へ向けてアキュームレータ２０の入側に連続的に送り込まれている。
【００２７】
この状態でユニット３０を新原紙ロール１２ｂの直上に移動され、右側の圧着ロール３３ｂとその付設装備品が時計方向に回動されてセット位置に引き出されると、新原紙ロール１２ｂからの新原紙の先端部が手作業で開放状態の第２ストッパ３６ｂの下部を通して圧着ロール３３ｂの左半周を経由し、更に紙継端セット用テーブル３７ｂの上面に引き出された後、第１ストッパ３４ｂがテーブル３７ｂの後縁側で圧着ロール３３ｂ上に新原紙を押さえつけた状態に閉鎖される。この場合、紙継ユニット３０の配置高さは、セット用テーブル３７ｂのテーブル面が立ち姿勢の作業員の前面に適当な高さで位置するように予め定められている。新原紙の先端部がテーブル３７ｂの前縁に幅方向に設けられたカッターガイドに沿ってカッターナイフにより切断整形され、その上面に両面テープがほぼ全幅に亘って貼り付けられる。
【００２８】
以上の手作業によるセットが終わると新原紙の押さえ付けを維持したままの第１ストッパ３４ｂと共に圧着ロール３３ｂが反時計方向に約１１０度回転し、同時に圧着ロール３３ｂとその付設装備品が反時計方向に回動して元の位置に復帰し、この復帰と同時に第２ストッパ３６ｂが閉じて新原紙を保持すると図４に示した準備完了状態となる。この状態では新原紙先端部の両面接着テープがちょうど両圧着ロール３３ａ及び３３ｂの最も接近したロール間隙間に位置し、未だ圧着前であるので旧原紙は軽く触れている新原紙先端部と摺接しながら給紙を継続している。
【００２９】
紙継動作は、紙継装置の作動を制御する図示しないコントローラにスプライス指令が与えられることにより開始されるが、それ以前にアキュームレータ２０では前述のように可動側ロール群２６が固定側ロール群２４から離れる方向に移動されて紙継動作に必要な時間を稼ぐ分だけの充分な量の原紙がアキュームレータ内に蓄えられている。
【００３０】
コントローラからスプライス指令が与えられると、図５に示すように紙継動作が開始される。即ち、この紙継動作では、まずスプライス開始指令によって旧原紙ロール１２ａ及び紙継ユニット内の回転中のキャプスタンロール３１及び圧接ロール３２に制動がかけられ、同時に圧接ロール３２がキャプスタンロール３１上に走行中の原紙Ｐを間にして押しつけられる。このようにして原紙搬送中にロール間の平行間隙を閉じるように圧接ロール３１をキャプスタンロール３２に圧接させると原紙が回転中のロール間に挟まれ、この間に両ロールは原紙走行速度と同一の周速で共回りしているので原紙には何ら張力変動は起きず、その状態で両ロールに制動をかけることにより原紙の破断を生じることなくアキュームレータへの原紙供給を停止することができる。
【００３１】
この間にアキュームレータ２０では出側ライン速度を維持するように可動側ロール群２６が固定側ロール群２４に接近するように移動し、その蓄積量で出側ライン速度を補償している。このアキュームレータ２０によるライン速度の維持動作が継続されている間に以下の全ての紙継動作が行われる。
【００３２】
アキュームレータ２０の入側で紙継ユニットの各ロールと旧原紙ロール１２ａが停止すると同時に左側の第２ストッパ３６ａが旧原紙を押さえ付け、また補助ストッパ３８がユニットの旧原紙をキャプスタンロール３１上に押さえつけて完全な停止状態を維持する。ユニット内における旧原紙の完全停止と同時に第２ストッパ３６ｂが開放されると共に右側の圧着ロール３３ｂが左側の圧着ロール３３ａに押しつけられ、両圧着ロール間に今や停止している旧原紙と新原紙先端部とを両面接着テープを間にして挟着し圧着する。
【００３３】
この圧着と同時に右側の第１ストッパ３４ｂと再２ストッパ３６ｂが開放され、左側ではカッター３５ａが作動して旧原紙を切断し、これと間を置かずに補助ストッパ３８の開放と圧接ロール３２の離反復帰動作が行われて図６に示す状態となり、直ちにキャプスタンロール３１及び圧接ロール３２並びに両圧着ロール３３ａ及び３３ｂと新原紙ロール１２ｂの回転が開始されてラインへ新原紙が送られ、所要の加速時間の後にアキュームレータ入側の新原紙搬送速度がライン速度に達するとアキュームレータ２０の補償動作も完了する。
【００３４】
ここで、ラインへの新原紙による給紙の再開に際しては、キャプスタンロール３１をはじめとするユニット内の各ロールの駆動によって原紙の巻き上げが行われるが、キャプスタンロール３１と圧接ロール３２は同じ周速で共回りし、しかもこれらロールによる原紙圧接保持部と両圧着ロール３３ａ、３３ｂ間のスプライス圧着部との間の貼り合わせ部を含む原紙区間は短く且つ弛みがないので、これらキャプスタンロール等を駆動する電動機をＡＣサーボモータなどの滑らかな増速特性を有するものにしておくだけで給紙再開のスタート時に貼り合わせ部を含む上記原紙区間に過大な張力を生じることなく原紙の破断を回避して迅速な始動を実現することができる。
【００３５】
キャプスタンロール３１と圧接ロール３２の駆動及び停止を担う駆動装置は、その電動機及び回転伝達機構を含む主要回転機構が紙継ユニットに搭載され、従って紙継ユニット３０内でキャプスタンロール３１と圧接ロール３２及びその駆動装置はスプライス圧着部に極力近接した位置に配置されており、これもまた紙継ユニット３０がミルロールスタンド１０の左右どちらの原紙ロール上に位置していてもスプライス圧着部とキャプスタンロール３１及び圧接ロール３２による原紙圧接保持部との距離を不変の短い距離に維持して原紙送給再開時の原紙の破断防止に寄与している。即ち、原紙圧接保持部からスプライス圧着部までの距離が最短で且つユニット３０の左右位置にかかわらず常に一定であり、更にはこの間の原紙通過方向を垂直方向に向けることができるので供給停止中の原紙の弛みは殆ど生じることがなく、給紙再開時に張力の急変動による破断が生じることはない。
【００３６】
尚、図６に示すスプライス完了状態は図２に示した定常の給紙状態にほぼ対応するが、給紙が右側の原紙ロール１２ｂから行われている点で異なっている。この後、この右側の原紙ロール１２ｂを交換する必要が生じた場合は、上述の図３〜図６を丁度左右反転させたような状態で左側の原紙ロールを新原紙ロールとして紙継ユニット３０内の主に左側のスプライス機構により上述と同様の紙継ぎ動作が行われることは勿論である。
【図面の簡単な説明】
【００３７】
【図１】ミルロールスタンド上に配置された本発明の一実施形態による紙継装置の全体構成を示す正面図である。
【図２】本発明の一実施形態による紙継装置の主要部をなす紙継ユニットの内部構造を示す説明図である。
【図３】新原紙のセット時における各部の位置関係を示す図２に対応した説明図である。
【図４】紙継動作の準備完了時における各部の位置関係を示す図２に対応した説明図である。
【図５】紙継動作の開始時における各部の位置関係を示す図２に対応した説明図である。
【図６】紙継動作の完了時における各部の位置関係を示す図２に対応した説明図である。
【符号の説明】
【００３８】
１０  ：ミルロールスタンド
１２ａ：原紙ロール（旧原紙ロール）
１２ｂ：原紙ロール（新原紙ロール）
２０  ：アキュームレータ
２２  ：フレーム
２４  ：固定側ロール群
２６  ：可動側ロール群
３０  ：紙継ユニット
３１  ：キャプスタンロール
３２  ：圧接ロール
３３ａ：圧着ロール
３３ｂ：圧着ロール
３４ａ：第1ストッパ
３４ｂ：第1ストッパ
３５ａ：カッター
３５ｂ：カッター
３６ａ：第２ストッパ
３６ｂ：第２ストッパ
３７ａ：紙継端セット用テーブル
３７ｂ：紙継端セット用テーブル
３８  ：補助ストッパ
３９ａ：入口ガイドロール
３９ｂ：入口ガイドロール
【図１】
0003111026.tif 000003
【図２】
0003111026.tif 000004
【図３】
0003111026.tif 000005
【図４】
0003111026.tif 000006
【図５】
0003111026.tif 000007
【図６】
0003111026.tif 000008